(57)【要約】【課題】中綿を交換するたびに接続部である気密機構が徐々に不完全なものとなってしまっていた。即ち、前軸筒の接続部と後ろ軸筒の接続部の摩耗や変形である。そして、これら接続部の摩耗や変形が顕著になると、前記気密作用が不完全なものとなり、該部分から中綿に含浸しているインクが蒸発してしまうのである。又、前記摩耗や変形は、何れか一方にでも発生してしまうと、他方にもその摩耗や変形作用を発生させてしまっていた。【解決手段】前軸と後軸とから成り、それら前軸と後軸は気密構造にて着脱自在に固定された塗布具の軸筒であって、その軸筒には前記後軸に装着された交換が可能なインキ吸蔵体が取り付けられており、一方、その交換用のインキ吸蔵体を内装させたカートリッジケースには前記後軸が着脱自在に取り付けられていると共に、その後軸には前記インキ吸蔵体が挿着されている塗布具の軸筒、及び、カートリッジケース。【選択図】  図１
2004291375.tif 000002
【特許請求の範囲】
【請求項１】
前軸と後軸とから成り、それら前軸と後軸は着脱自在に固定された塗布具の軸筒であって、その軸筒には前記後軸に装着された交換が可能なインキ吸蔵体が取り付けられており、一方、その交換用のインキ吸蔵体を内装させたカートリッジケースには前記後軸が着脱自在に取り付けられていると共に、その後軸には前記インキ吸蔵体が挿着されていることを特徴とする塗布具の軸筒、及び、カートリッジケース。
【請求項２】
前記前軸と後軸、並びに、後軸とカートリッジケースは気密構造にて着脱自在に固定されていることを特徴とする請求項１記載の塗布具の軸筒、及び、カートリッジケース。
【請求項３】
前記前軸と後軸、並びに、後軸とカートリッジケースは螺合構造によって着脱自在に固定されていることを特徴とする請求項１、或いは、請求項２に記載の塗布具の軸筒、及び、カートリッジケース。
【発明の詳細な説明】
【０００１】
【発明の属する技術分野】
本発明は、塗布具の軸筒、及び、カートリッジケースに関する。
【０００２】
【従来の技術】
１例として、軸筒内の中綿に含浸しているインクを先口内のペン体に供給する中綿式筆記具において、前記軸筒を、開閉可能に接続された前軸筒と後軸筒とにより構成するとともに、それら両軸筒の接続部に気密構造を設けてなり、前記中綿を、軸方向への着脱を可能に前記軸筒内に嵌合することで、交換用中綿に交換可能とした中綿式筆記具が知られている。
そして、具体的には、前記中綿を着脱自在に嵌合した軸筒が開閉可能とされた中綿式筆記具と、筒状のカートリッジケースに収容された交換用中綿との組合せであって、前記カートリッジケースは、一端側が開放されて、その開口部から前記交換用中綿の端部を突出するように形成し、前記交換用中綿を軸方向への着脱を可能に嵌合するとともに、その嵌合力を上記軸筒内における中綿への嵌合力よりも弱くした中綿式筆記具における中綿交換機構が採用されている（特許文献１参照）。
【０００３】
【特許文献１】
特開２００２−６７５７３号公報（請求項４）
【０００４】
【発明が解決しようとする課題】
ところで、前記従来の構成にあっては、中綿を交換するために前軸筒と後軸筒を着脱させる構成を採っており、そのため、中綿を交換するたびに接続部である気密機構が徐々に不完全なものとなってしまっていた。即ち、前軸筒の接続部と後ろ軸筒の接続部の摩耗や変形である。そして、これら接続部の摩耗や変形が顕著になると、前記気密作用が不完全なものとなり、該部分から中綿に含浸しているインクが蒸発してしまうのである。又、前記摩耗や変形は、何れか一方にでも発生してしまうと、他方にもその摩耗や変形作用を発生させてしまっていた。
【０００５】
【課題を解決するための手段】
本発明は、前軸と後軸とから成り、それら前軸と後軸は気密構造にて着脱自在に固定された塗布具の軸筒であって、その軸筒には前記後軸に装着された交換が可能なインキ吸蔵体が取り付けられており、一方、その交換用のインキ吸蔵体を内装させたカートリッジケースには前記後軸が着脱自在に取り付けられていると共に、その後軸には前記インキ吸蔵体が挿着されていることを要旨とする。
【０００６】
【作用】
インキ吸蔵体を交換する際、前軸と後軸を離脱させるが、中綿交換後においては後軸が常に新規な物となっている。
【０００７】
【実施例】
図１〜図５に本発明の１例について説明する。図１は筆記体２が収納されている状態を示す部分縦断面図である。
軸筒１には弾発部材７を介して後方（図中上側）に移動不能にシール筒部３が段部で係止されセットされている。そのシール筒部３の後方内面には、樹脂材質から形成された筆記体２の前方の外壁と密閉を保つための内方リブが形成されている。また、シール蓋４には、３本の細線部５が放射状にしかも等間隔（１２０度間隔）な位置に一体に形成されている。その細線部５の後端はガイド筒６に固定され弾発部材７の付勢により、前記シール蓋４を後方に押し当て、そのシール蓋４とシール筒部３との密閉が保たれている。
軸筒１の先端部は筆記体２の先端が出没可能に摺動する先端開口穴が設けられ、後端は筆記体２を形成する後方部材（尾栓）２ｂを摺動可能に配置できる後端開口穴が設けられている。また、軸筒１の側面には摺動駒９が長手方向に摺動可能で、先端方向に係止部１ｂを形成した案内溝１ａが形成されている。その案内溝１ａの後方は軸筒１の後端開口部と連接されず、案内溝１ａは軸筒１の側面で閉じた窓部を形成している。即ち、案内溝１ａの先端と後端（後端部１ｃ）は、閉塞されているのである。また、案内溝１ａの後端部１ｃは、筆記体２が軸筒１に収納されているときの摺動駒９の係止部ともなり得る。更に、その後端部１ｃからは、円周方向に規制溝１ｉが形成されている。不使用時、この規制溝１ｉに９ｅを位置させておくことによって、不慮の出没動作を防止しているのである。尚、規制溝１ｉの内面には下方に向けて突起１ｊが形成されており、後述する基部９ｂの凹状の傾斜部９ｅが係合し得るようになっている。即ち、摺動駒９が軸筒１に対して不用意に回転しないようになっているのである。
本実施例は、シール蓋４、シール筒部３及び複数の細線部５などからなる先端密閉機構を例示しているが、勿論、密閉機構を用いない油性ボールペンなどの筆記体２を装着したものに用いても良い。
【０００８】
前記摺動駒９は軸筒１の外側に釦部９ａと案内溝１ａ内を摺動係止する基部９ｂと軸筒１の内側で筆記体２を抱設する内方部９ｃとからなる。
図１では、摺動駒９の基部９ｂの後方が案内溝１ａの後端部１ｃに当接あるいは僅かな隙間をもって配置されている。
図２は筆記体２が突出した状態（筆記状態）を示した部分縦断面図である。摺動駒９の基部９ｂ後方に形成した凹状の傾斜部９ｅが、軸筒１の鋭角な係止部（突起）１ｂに係止され筆記状態を保つことができる。この状態で摺動駒９の釦部９ａを長手軸を中心に適宜回転させることにより、摺動駒９の基部９ｂと案内溝係止部１ｂの係止が解除され、筆記体２は収納状態に移ることができる。
図３は、図１のＡ−Ａ断面矢視図であり、摺動駒９の内方部９ｃが筆記体２を抱設し、摺動駒９が略長手軸を中心に回転可能に配置されている。具体的に説明すると、筆記体前方部材２ａと筆記体後方部材（尾栓）２ｂとは螺合よって着脱自在に連結・固定されており、その螺合部分に前記内方部９ｃが緩着されている。即ち、内方部９ｃは、筆記体前方部材２ａと筆記体後方部材（尾栓）２ｂとによって挟み込まれた状態で筆記体２と一体化しているのである。また、前記筆記体前方部材２ａと筆記体後方部材２ｂは、螺合によって連結されており、その螺合構造の前方部が気密構造部となっている。具体的には、筆記体前方部材２ａの内面に形成されている円周リブ２ｅが、筆記体後方部材２ｂに形成されている平面部２ｆに接触し、互いが圧接・変形し密着する気密構造となっている。これによって、後述するインキ吸蔵体のインキが、前記気密構造部から蒸発しない、或いは、極めて蒸発しにくい螺合構造となっている。
【０００９】
また、前記気密構造によって連結された筆記体前方部材２ａと筆記体前方部材２ｂの内部には、繊維集束体からなるインキ吸蔵体１０が挿着されているが、スポンジやウレタン、綿などの多孔質体であっても良い。そして、前記繊維集束体からなるインキ吸蔵体１０の表面には、薄いフイルム状部材からなる被覆体１１が巻き付けられているが、その被覆体１１には微細な貫通孔を複数形成しても良い。ここで、そのインキ吸蔵体１０の後部は、前記筆記体後方部材２ｂの内側に形成された内面リブ２ｃに食い込むように挿着・固定されているが、意識して引き抜けば引き抜くことができるものの、自重程度の作用では落下しないものとなっている。
図４は主要部品の分解斜視図である。摺動駒９の内方部９ｃは筆記体２を形成する、前方部材（リフィール）２ａと後方部材（尾栓）２ｂで形成される縮径部（本実施例では後方部材２ｂ側）に回転可能に配置されている。符号２ｄは、筆記体前方部材２ａに形成された係止リブであって、その係止リブ２ｄは、前記ガイド筒６に係合している。即ち、筆記体前方部材２ａとガイド筒６とは相対的に回転が不可能な状態となっている。
【００１０】
図５は、交換用のインキ吸蔵体１０を内包するカートリッジケース１２示す縦断面図である。詳述すると、前記と同一の筆記体後方部材２ｂには、インキ吸蔵体１０が挿着・固定されており、その筆記体後方部材２ｂは、気密構造をもってカートリッジケース１２に螺合している。即ち、筆記体後方部材２ｂは、ケートリッジケース１２に対して着脱自在となっている。前記気密構造について具体的に説明すると、カートリッジケース１２の中間部内面には段部が形成されており、その段部の上面に円周突起１２ａが形成されている。そして、その円周突起１２ａに筆記体後方部材２ｂの前端面が食い込むように接触している。
次ぎに、この交換用のインキ吸蔵体の交換方法について説明する。インキが無くなったインキ吸蔵体を筆記体前方部材２ａから抜き取るが、最初に、筆記体後方部材２ｂと筆記体前方部材２ａを分離する。この時、インキが無くなったインキ吸蔵体１０は、筆記体後方部材２ｂに挿着・固定されているため、そのインキ吸蔵体１０は筆記体後方部材２ｂに固定された状態で抜き取ることができる。そして、筆記体後方部材２ｂと共にインキ吸蔵体１０を廃棄する。尚、本例のように筆記体後方部材２ｂを樹脂材質で形成することによってインキ吸蔵体と共に樹脂部材として廃棄することができ環境の側面からも好ましいものとなる。また、分離することなく廃棄することができるので、手などを汚してしまうようなこともない。次いで、新たなインキ吸蔵体１０を筆記体前方部材２ａに挿着するが、最初に、カートリッジケース１３と筆記体後方部材２ｂと筆記体前方部材２ａを分離する。この時、新たなインキ吸蔵体１０は、筆記体後方部材２ｂに挿着・固定されているため、そのインキ吸蔵体１０は筆記体後方部材２ｂに固定された状態でカートリッジケース１２から抜き取ることができる（図６参照）。次いで、新たなインキ吸蔵体１０が挿着された筆記体後方部材２ｂを前記筆記体前方部材２ａに螺合・固定する（図７参照）。
即ち、本発明によれば、インキ吸蔵体を交換する度に筆記体後方部材も新たなものとなり、又、インキ吸蔵体に指などが触れることなく交換することができるものとなっている。
【００１１】
【発明の効果】
本発明は、前軸と後軸とから成り、それら前軸と後軸は気密構造にて着脱自在に固定された塗布具の軸筒であって、その軸筒には前記後軸に装着された交換が可能なインキ吸蔵体が取り付けられており、一方、その交換用のインキ吸蔵体を内装させたカートリッジケースには前記後軸が着脱自在に取り付けられていると共に、その後軸には前記インキ吸蔵体が挿着されているので、長期に渡って前軸と後軸の気密構造を維持することができる。
【図面の簡単な説明】
【図１】本発明の１例を示す筆記体収納状態の要部縦断面図である。
【図２】筆記体収納突出状態の要部縦断面図である。
【図３】図２の横断面図である。
【図４】分解斜視図である。
【図５】交換用のインキ吸蔵体の収容状態を示す縦断面図である。
【図６】交換状態を示す外観図である。
【図７】交換状態を示す縦断面図（１部外観図）である。
【符号の説明】
１    軸筒
１ａ  案内溝
１ｂ  係止部
１ｃ  後端部
１ｄ  案内溝幅
１ｅ  幅広部
１ｆ  面取り部
１ｇ  係止穴
１ｈ  係止穴
１ｉ  規制溝
１ｊ  突起
２    筆記体
２ａ  筆記体前方部材
２ｂ  筆記体後方部材
２ｃ  内面リブ
２ｄ  係止リブ
２ｅ  円周リブ
２ｆ  平面部
３    シール筒部
４    シール蓋
５    細径部
６    ガイド筒
７    弾撥部材
８    クリップ
９    摺動駒
９ａ  釦部
９ｂ  基部
９ｃ  内方部
９ｄ  切り欠き部
９ｅ  傾斜部
９ｆ  内方部幅
９ｇ  面取り部
９ｈ  クリップ部
９ｉ  係止部
１０  インキ吸蔵体
１１  被覆体
１２  カートリッジケース
１２ａ  円周突起
【図１】
2004291375.tif 000003
【図２】
2004291375.tif 000004
【図３】
2004291375.tif 000005
【図４】
2004291375.tif 000006
【図５】
2004291375.tif 000007
【図６】
2004291375.tif 000008
【図７】
2004291375.tif 000009